(57)【要約】【課題】負荷の出力レベルが過剰に高くされることを避けることができるタイマー制御装置を提供する。【解決手段】予め設定された時刻に負荷をオンオフ制御するタイマー制御装置であって、負荷の出力が高いほど高い出力を生成する出力検出部を備える。負荷をオフさせるオフ動作においては、オフ動作の開始時Ｔ１から出力検出部の出力が所定のオフ閾値を下回るまで負荷の出力レベルを徐々に低下させた後に負荷をオフさせる。また、負荷をオンさせるオン動作においては、負荷をオンさせた直後の時点Ｔ３で、出力検出部の出力がオフ閾値未満であれば図１（ａ）に示すようにオン動作の終了時点Ｔ４まで負荷の出力レベルを徐々に上昇させるが、出力検出部の出力がオフ閾値以上であれば図１（ｂ）に示すように負荷の出力レベルを上昇させない。これにより、オン動作によって負荷の出力が過剰に高くされることが避けられる。【選択図】図１
2009128077.tif 000002
【特許請求の範囲】
【請求項１】
所定の制御時刻に自動的に負荷を制御するタイマー制御装置であって、
制御対象となる負荷は、入力された制御信号に応じてオンオフと出力レベルの増減とが可能であってオン時には出力レベルに応じた出力で動作しオフされている期間中にも出力レベルが保存されるものであり、
制御対象の負荷の出力が高いほど高い出力を生成する出力検出部と、
時刻を計時する計時部と、
負荷の制御を行うべき時刻である制御時刻と該制御時刻に行なわれるべき制御の内容との組を示す制御プログラムが少なくとも１個格納された記憶部と、
出力検出部の出力と計時部によって計時された時刻と記憶部に格納された制御プログラムとに応じて制御信号を生成する制御部と、
制御部によって制御信号が生成されたときに制御部に制御されて該制御信号を負荷へ送信する通信部とを備え、
制御部は、計時部によって計時された時刻が記憶部に格納された制御プログラムのうち制御内容がオフであるいずれかの制御プログラムの制御時刻となったときには、負荷の出力レベルが制御信号によって変更可能な限りで最低の出力レベルであった場合に出力検出部の出力がとり得る最低値以上の値である所定のオフ閾値を出力検出部の出力が下回るまで負荷の出力レベルを所定の制御幅だけ低下させる制御信号である低下信号を所定時間おきに繰り返し生成して負荷の出力レベルを徐々に低下させた後、負荷をオフさせる制御信号を生成するというオフ動作を開始し、
また、制御部は、計時部によって計時された時刻が記憶部に格納された制御プログラムのうち制御内容がオンであるいずれかの制御プログラムの制御時刻となったとき、負荷をオンさせる制御信号を生成した後、出力検出部の出力がオフ閾値以上であった場合には該制御プログラムによる動作を終了し、出力検出部の出力がオフ閾値未満であった場合には負荷の出力レベルを制御幅だけ上昇させる制御信号である上昇信号を予め記憶部に格納された上昇回数まで所定時間おきに繰り返し生成して負荷の出力レベルを徐々に上昇させるというオン動作を開始することを特徴とするタイマー制御装置。
【請求項２】
制御プログラムの内容を指示する操作入力を受け付ける入力部を備え、
制御部は、入力部に受け付けられた操作入力に応じた制御プログラムを生成して記憶部に格納することを特徴とする請求項１記載のタイマー制御装置。
【請求項３】
制御部は、オフ動作の終了時に、該オフ動作中に低下信号を生成した回数を、次回のオン動作時に用いる上昇回数として記憶部に格納することを特徴とする請求項１又は請求項２記載のタイマー制御装置。
【請求項４】
制御部がオン動作時に用いる上昇回数は、入力部への操作入力によって指示される制御プログラムの内容として記憶部に格納されていることを特徴とする請求項２記載のタイマー制御装置。
【請求項５】
制御対象となる負荷は、制御信号とは別途に入力された音声信号に示された音量に出力レベルを乗じた出力としての音量で音声を出力するものであって、
負荷に入力される音声信号に対して音量を０としない別の音声信号を重畳させる重畳部を有することを特徴とする請求項１〜４のいずれか１項に記載のタイマー制御装置。
【発明の詳細な説明】
【技術分野】
【０００１】
本発明は、タイマー制御装置に関するものである。
【背景技術】
【０００２】
従来から、入力された制御信号に応じてオンオフされる負荷に対し、予め設定された時刻に、予め設定された制御信号を送信するタイマー制御装置が提供されている（例えば、特許文献１参照）。
【０００３】
この種のタイマー制御装置として、出力レベルを変更可能であってオン時には出力レベルが高いほど高い出力で動作しオフされている期間中にも出力レベルが維持される負荷に用いられ、図６に示すように、負荷をオフさせる際には出力レベルを所定の低下幅だけ徐々に低下させた後で負荷をオフし、負荷をオンさせた直後には所定の上昇幅だけ負荷の出力レベルを徐々に上昇させるものがある。これにより、オンオフ時の負荷の出力の変化を緩やかとし、タイマー制御装置による制御が使用者に与える違和感を低減することができる。
【０００４】
具体的に説明すると、負荷は例えばオーディオ機器や照明器具やテレビであり、出力レベルに応じて変化する出力は例えば音量や輝度である。
【０００５】
また、制御信号は、例えば一般的なリモコンと同様に赤外光を媒体として送信される。
【０００６】
さらに、負荷のオフ時の上記出力レベルの低下、並びに、負荷のオン時の上記出力レベルの上昇は、負荷の出力レベルを所定の幅（例えば１段階）だけ変更させる制御信号を所定時間おきに所定の回数だけ負荷へ送信することにより行なわれる。
【特許文献１】特開２００２−００６０７０号公報
【発明の開示】
【発明が解決しようとする課題】
【０００７】
しかし、タイマー制御装置によって負荷がオフされた後、使用者が別途のリモコンを用いて負荷をオンして負荷の出力レベルを上昇させた状態で負荷をオフしていた場合、図７に示すように、次にタイマー制御装置によって負荷がオンされたときには、負荷の出力レベルが、タイマー制御装置によってオフされた直後の負荷の出力レベルよりも高くなっているから、タイマー制御装置によって上記所定の上昇幅だけ負荷の出力レベルが上昇させられた結果、最終的な負荷の出力レベルが過剰に高くなってしまう可能性があった。
【０００８】
本発明は、上記事由に鑑みて為されたものであり、その目的は、負荷の出力レベルが過剰に高くされることを避けることができるタイマー制御装置を提供することにある。
【課題を解決するための手段】
【０００９】
請求項１の発明は、所定の制御時刻に自動的に負荷を制御するタイマー制御装置であって、制御対象となる負荷は、入力された制御信号に応じてオンオフと出力レベルの増減とが可能であってオン時には出力レベルに応じた出力で動作しオフされている期間中にも出力レベルが保存されるものであり、制御対象の負荷の出力が高いほど高い出力を生成する出力検出部と、時刻を計時する計時部と、負荷の制御を行うべき時刻である制御時刻と該制御時刻に行なわれるべき制御の内容との組を示す制御プログラムが少なくとも１個格納された記憶部と、出力検出部の出力と計時部によって計時された時刻と記憶部に格納された制御プログラムとに応じて制御信号を生成する制御部と、制御部によって制御信号が生成されたときに制御部に制御されて該制御信号を負荷へ送信する通信部とを備え、制御部は、計時部によって計時された時刻が記憶部に格納された制御プログラムのうち制御内容がオフであるいずれかの制御プログラムの制御時刻となったときには、負荷の出力レベルが制御信号によって変更可能な限りで最低の出力レベルであった場合に出力検出部の出力がとり得る最低値以上の値である所定のオフ閾値を出力検出部の出力が下回るまで負荷の出力レベルを所定の制御幅だけ低下させる制御信号である低下信号を所定時間おきに繰り返し生成して負荷の出力レベルを徐々に低下させた後、負荷をオフさせる制御信号を生成するというオフ動作を開始し、また、制御部は、計時部によって計時された時刻が記憶部に格納された制御プログラムのうち制御内容がオンであるいずれかの制御プログラムの制御時刻となったとき、負荷をオンさせる制御信号を生成した後、出力検出部の出力がオフ閾値以上であった場合には該制御プログラムによる動作を終了し、出力検出部の出力がオフ閾値未満であった場合には負荷の出力レベルを制御幅だけ上昇させる制御信号である上昇信号を予め記憶部に格納された上昇回数まで所定時間おきに繰り返し生成して負荷の出力レベルを徐々に上昇させるというオン動作を開始することを特徴とする。
【００１０】
この発明によれば、オン動作の開始時に出力検出部の出力がオフ閾値以上であれば負荷の出力レベルを上昇させないから、オン動作において負荷の出力が過剰に高くされることを避けることができる。
【００１１】
請求項２の発明は、請求項１の発明において、制御プログラムの内容を指示する操作入力を受け付ける入力部を備え、制御部は、入力部に受け付けられた操作入力に応じた制御プログラムを生成して記憶部に格納することを特徴とする。
【００１２】
この発明によれば、制御プログラムの内容を使用者が自由に設定することができる。
【００１３】
請求項３の発明は、請求項１又は請求項２の発明において、制御部は、オフ動作の終了時に、該オフ動作中に低下信号を生成した回数を、次回のオン動作時に用いる上昇回数として記憶部に格納することを特徴とする。
【００１４】
この発明によれば、オフ動作の開始後から次のオン動作の終了までの期間に他の要因によってが負荷の出力レベルが変動していなければ、オン動作の終了時には直前のオフ動作の前の出力レベルが再現されることになり、使用者に違和感を与えにくい。
【００１５】
請求項４の発明は、請求項２の発明において、制制御部がオン動作時に用いる上昇回数は、入力部への操作入力によって指示される制御プログラムの内容として記憶部に格納されていることを特徴とする。
【００１６】
この発明によれば、オン動作時の出力レベルの上昇幅を含めて、制御プログラムの内容を使用者が自由に設定することができる。
【００１７】
請求項５の発明は、請求項１〜４のいずれかの発明において、制御対象となる負荷は、制御信号とは別途に入力された音声信号に示された音量に出力レベルを乗じた出力としての音量で音声を出力するものであって、負荷に入力される音声信号に対して音量を０としない別の音声信号を重畳させる重畳部を有することを特徴とする。
【００１８】
この発明によれば、音声信号に示された音量が０であっても、重畳部によって重畳される別の音声信号により、負荷の音量が０となることがないから、出力検出部による出力レベルの検出が可能となる。
【発明の効果】
【００１９】
請求項１の発明によれば、オン動作の開始時に出力検出部の出力がオフ閾値以上であれば負荷の出力レベルを上昇させないから、オン動作において負荷の出力が過剰に高くされることを避けることができる。
【００２０】
請求項２の発明によれば、制御プログラムの内容を指示する操作入力を受け付ける入力部を備えることにより、制御プログラムの内容を使用者が自由に設定することができる。
【００２１】
請求項３の発明によれば、オフ動作において低下信号が送信された回数だけ、次のオン動作時に上昇信号が送信されるから、オフ動作の開始後から次のオン動作の終了までの期間に他の要因によってが負荷の出力レベルが変動していなければ、オン動作の終了時には直前のオフ動作の前の出力レベルが再現されることになり、使用者に違和感を与えにくい。
【００２２】
請求項４の発明によれば、入力部への操作入力によりオン動作時の上昇回数を使用者が自由に設定することができる。
【００２３】
請求項５の発明によれば、負荷に入力される音声信号に対して音量を０としない別の音声信号を重畳させる重畳部を有するので、音声信号に示された音量が０であっても、重畳部によって重畳される別の音声信号により、負荷の音量が０となることがないから、出力検出部による出力レベルの検出が可能となる。
【発明を実施するための最良の形態】
【００２４】
以下、本発明を実施するための最良の形態について、図面を参照しながら説明する。
【００２５】
（実施形態１）
本実施形態のタイマー制御装置１の基本構成を図２に示す。本実施形態は、予め設定された制御時刻に負荷Ｚのオンオフを切り替える制御を自動的に行うものである。
【００２６】
本実施形態が制御の対象とする負荷Ｚは、入力された制御信号に応じてオンオフと出力レベルの増減とが可能であって、オン時には出力レベルに応じた出力で動作し、オフされている期間中にも出力レベルが保存されるものである。このような負荷Ｚとしては例えば照明器具やオーディオ機器がある。負荷Ｚが照明器具である場合には出力は輝度であり、負荷Ｚがオーディオ機器である場合には出力は音量である。制御信号は、有線で送受信されるものであってもよいし、赤外光や電波を媒体として無線で送受信されるものであってもよい。
【００２７】
本実施形態は、時刻を計時する計時部１１と、例えばＥＥＰＲＯＭのような不揮発性のメモリからなり負荷Ｚの制御を行うべき時刻である制御時刻と該制御時刻に行われるべきオン又はオフの制御内容との組を示す制御プログラムが少なくとも１個格納された記憶部１２と、計時部１１によって計時された時刻（以下、「現在時刻」と呼ぶ。）が記憶部１２に格納された制御プログラムのいずれかの制御時刻となったときに該制御プログラムの内容に応じた制御信号を生成する制御部１３と、制御部１３によって制御信号が生成されたときに制御部１３に制御されて該制御信号を負荷Ｚへ送信する通信部１４と、例えば液晶パネルや発光ダイオードを有して制御部１３によって制御され動作状態や現在時刻等の表示がなされる表示部１５とを備える。制御プログラムとしては、制御時刻を毎日の所定時刻に設定されたものや、制御時刻を所定の曜日の所定の時刻に設定されたもののほか、１回の実行で消去されるいわゆるオン・オフタイマー動作用のものもある。
【００２８】
計時部１１と制御部１３とは、それぞれ周知技術によって実現可能であるので詳細な説明は省略する。
【００２９】
また、通信部１４は、例えば、制御信号が赤外光を媒体として送受信される場合には赤外発光ダイオードを有するものであり、制御信号が電波を媒体として送受信される場合にはアンテナを有するものである。
【００３０】
さらに、本実施形態は、計時部１１の時刻を設定する操作入力や制御プログラムの内容を指示する操作入力を受け付ける入力部１６を有する。入力部１６は例えば複数個の押釦によって構成することができるほか、周知のタッチパネルによって表示部１５と一体に構成してもよい。また、入力部１６を他の部位から分離されて持ち運び可能なリモコン装置に構成するとともに、周知の無線通信技術によって入力部１６と制御部１３との間での通信が行われるようにしてもよい。制御部１３は、入力部１６に受け付けられた操作入力に応じて、計時部１１における時刻の設定や、記憶部１２における制御プログラムの追加・削除及び更新を行う。
【００３１】
また、本実施形態は、負荷Ｚの出力が高いほど高い出力を生成する出力検出部１７を有し、制御部１３が出力検出部１７の出力に応じた動作を行うことを特徴としている。出力検出部１７は、例えば、負荷Ｚが照明器具の場合には周知の照度センサを有するものであり、負荷Ｚがオーディオ機器の場合には周知のマイクロホンを有するものである。出力検出部１７の出力は、表示部１５で表示可能としてもよい。
【００３２】
以下、図３の流れ図を用いて、制御部１３の動作を説明する。制御部１３は、始動（Ｓ１）後、計時部１１によって計時された時刻である現在時刻が制御時刻となったか否かを監視（Ｓ２）する。そして、制御部１３は、現在時刻が記憶部１２に格納された制御プログラムのうちいずれかの制御プログラムの制御時刻となったときには、該制御プログラムの内容がオンかオフかを判定し（Ｓ３）、該制御プログラムの内容がオフであれば、負荷Ｚをオフさせるオフ動作を開始する。すなわち、制御部１３は、まずカウント数Ｎを０にリセットし（Ｓ４）、出力検出部１７の出力Ｐを所定のオフ閾値Ｐ１と比較する（Ｓ５）。出力検出部１７の出力Ｐがオフ閾値Ｐ１以上であれば、制御部１３は、負荷Ｚの出力レベルを所定の制御幅（例えば１段階）だけ低下させる制御信号である低下信号を生成して通信部１４を制御し該低下信号を負荷Ｚへ送信させるとともに、カウント数Ｎに１を加算し（Ｓ６）、所定の待機時間だけ待機した後、ステップＳ５に戻る。ここで、待機時間は、制御信号が負荷Ｚの出力に反映されるのに十分な時間とするが、入力部１６への操作入力に応じて変更可能としてもよい。そして、ステップＳ５において、出力検出部１７の出力Ｐがオフ閾値Ｐ１未満となっていれば、制御部１３は、負荷Ｚをオフさせる制御信号であるオフ信号を生成して通信部１４を制御し該オフ信号を負荷Ｚへ送信させて上記制御プログラムによるオフ動作を終了するとともに、記憶部１２に格納されて後述するオン動作に用いられる上昇回数Ｎｍを、その時点でのカウント数Ｎに更新し（Ｓ７）、その後ステップＳ２に戻る。つまり、上記のオフ動作により、所定の待機時間おきに低下信号が負荷Ｚへ送信された後でオフ信号が送信されるのであり、負荷Ｚは、徐々に出力レベルを低下させた後でオフされる。また、オフ閾値Ｐ１は、負荷Ｚの出力レベルが制御信号によって変更可能な限りで最低の出力レベルであった場合に出力検出部１７の出力がとり得る最低値以上とされる。すなわち、出力レベルが既に最低になっている負荷Ｚへの無駄な低下信号の送信が抑制されている。
【００３３】
一方、制御部１３は、ステップＳ３において制御時刻が現在時刻となっている制御プログラムの制御内容がオンであった場合には、負荷Ｚをオンさせるオン動作を開始する。すなわち、負荷Ｚをオンさせる制御信号であるオン信号を生成して通信部１４を制御し該オン信号を負荷Ｚへ送信させ、カウント数Ｎを０にリセットした（Ｓ８）後、出力検出部１７の出力Ｐを所定のオフ閾値Ｐ１と比較する（Ｓ９）。出力検出部１７の出力Ｐがオフ閾値Ｐ１未満であれば、制御部１３は次にカウント数Ｎを記憶部１２に格納された上昇回数Ｎｍと比較する（Ｓ１０）。なお、オフ動作が行なわれたことがない場合であっても、記憶部１２には出荷時に上昇回数Ｎｍとして予め一定の値が格納されている。ステップＳ１０においてカウント数Ｎが上昇回数Ｎｍに達していなければ、制御部１３は、オフ動作時の低下信号が低下させる出力レベルの幅と同じ制御幅だけ負荷Ｚの出力レベルを上昇させる制御信号である上昇信号を生成して通信部１４を制御し該上昇信号を負荷Ｚへ送信させるとともに、カウント数Ｎに１を加算して（Ｓ１１）、待機時間の経過後にステップＳ１０に戻る。そして、ステップＳ１０において、カウント数Ｎが上昇回数Ｎｍに達していれば、制御部１３は上記制御プログラムによるオン動作を終了してステップＳ２に戻る。上記のオン動作により、オン信号が送信された後で所定の待機時間おきに上昇回数Ｎｍだけ低下信号が負荷Ｚへ送信されるのであり、負荷Ｚは、オンされた後、前回のオフ動作時に低下させた出力レベルの分だけ、徐々に出力レベルを上昇させる。すなわち、オフ動作の開始後から次のオン動作の終了までの期間に本実施形態のタイマー制御装置１以外が負荷Ｚの出力レベルを変動させていなければ、オン動作の終了時には直前のオフ動作の前の出力レベルが再現される。
【００３４】
また、オン動作の開始時のステップＳ９において、出力検出部１７の出力Ｐがオフ閾値Ｐ１以上であった場合には、上昇信号を生成することなく、上記制御プログラムによるオン動作を終了し、ステップＳ２に戻る。
【００３５】
上記構成によれば、図１（ｂ）に示すように、オン動作の開始時Ｔ３に負荷Ｚの出力がオフ閾値Ｐ１に対応する所定の値よりも大きかった場合には上昇信号が送信されることがないから、オン動作によって負荷Ｚの出力レベルが過剰に上昇することが避けられる。
【００３６】
また、既に述べたように、所定のオフ閾値Ｐ１と出力検出部１７の出力Ｐとの比較により、オフ動作時には出力レベルが既に最低になっている負荷Ｚへの無駄な低下信号の送信が抑制されている上に、オン動作時に上昇信号を送信する回数である上昇回数Ｎｍは、オフ動作時に低下信号が送信された回数となっている。従来例では、オン動作とオフ動作とで上昇信号や低下信号を送信する回数すなわちオン動作やオフ動作の全体としての出力レベルの変動幅が一定であったから、例えば図４に示すように、オフ動作の開始時点Ｔ１での出力レベルが低すぎ、最低の出力レベルとの差が上記変動幅未満であった場合に、オフ動作の終了時点Ｔ２付近で低下信号の無駄な送信が生じる一方、オン動作終了時点Ｔ４での出力レベルは直前のオフ動作の開始時点Ｔ１での出力レベルよりも高くなってしまい、使用者に違和感を与えるという問題があった。これに対し、本実施形態では、上記のように出力検出部１７の出力を用いることにより負荷Ｚへの無駄な低下信号の送信が抑制されている上に、オン動作時には直前のオフ動作時に低下信号が送信された回数である上昇回数Ｎｍだけ上昇信号を送信するから、図１（ａ）に示すようにオフ動作の開始時点Ｔ１での出力レベルが低い場合でも、オフ動作の開始時点Ｔ１とオン動作の終了時点Ｔ４との間で他の要因による出力レベルの変動がなければ、オン動作の終了時点Ｔ４では直前のオフ動作の開始時点Ｔ１での出力レベルが再現され、使用者に違和感を与えにくい。
【００３７】
なお、オフ動作において、負荷Ｚ以外の要因により出力検出部１７の出力がオフ閾値Ｐ１を下回らない可能性がある場合には、予め記憶部１２に格納された上限数にカウント数Ｎが達したときにオフ動作が終了するようにしてもよい。上記の上限数は、例えば制御信号による出力レベルの変動幅の最大値を制御幅で除した値としてもよいし、入力部１６への操作入力によって変更可能としてもよい。上記の負荷Ｚ以外の要因としては、例えば負荷Ｚが照明器具であって出力検出部１７が光を検出するものである場合には太陽や他の照明器具など負荷Ｚ以外の光源からの光（いわゆる環境光）が考えられ、負荷Ｚがオーディオ機器であって出力検出部１７が音を検出するものである場合には負荷Ｚ以外の音源からの音（いわゆる環境音）が考えられる。
【００３８】
また、オン動作に用いられる上昇回数Ｎｍとして上記のように直前のオフ動作中での低下信号の送信回数を用いる代わりに、上昇回数Ｎｍを入力部１６において制御プログラムの内容として設定可能としてもよい。この構成を採用すれば、例えば制御時刻が夜である場合には制御時刻が昼である場合よりも上昇回数Ｎｍを少なくするといったように、使用者の都合に合わせた設定が可能となる。
【００３９】
又は、出力検出部１７の出力と上昇回数Ｎｍとの対応関係を示すテーブル又は数式を予め記憶部１２に格納しておくとともに、オン動作時に、制御部１３は、オン信号を送信する前の出力検出部１７の出力（つまり環境光や環境音の検出値）と上記のテーブル又は数式とから上昇回数Ｎｍを得るようにし、例えばオン信号を送信する前の出力検出部１７の出力が高いほど上昇回数Ｎｍを多くしてもよい。
【００４０】
さらに、制御部１３が、オン動作のステップ１０において、カウント数Ｎの判定とともに、オフ閾値Ｐ１よりも高い所定のオン閾値と出力検出部１７の出力Ｐとの比較を行い、出力検出部１７の出力Ｐがオン閾値未満で且つカウント数Ｎが上昇回数Ｎｍに達していない場合にはオン動作を継続する一方、出力検出部１７の出力Ｐがオン閾値以上であった場合には、カウント数Ｎが上昇回数Ｎｍに達した場合と同様にオン動作を終了するようにしてもよい。この構成を採用すれば、記憶部１２に格納された上昇回数Ｎｍが大きい場合でも、負荷Ｚの出力が過剰に（上記のオン閾値に対応した出力以上に）高くなることが防止される。
【００４１】
また、周知の通信技術を用いて、１個のタイマー制御装置１から複数個の負荷Ｚに対して個別又は一斉に制御信号を送信可能としてもよい。複数個の負荷Ｚの中から制御の対象を選択可能とする場合、制御プログラムには、負荷Ｚを指定する情報が含まれる。さらに、共通の媒体で制御信号を送受信する複数個の負荷Ｚを個別に制御する場合、制御信号には、負荷Ｚのアドレスなどの情報が含まれ、負荷Ｚとしては、自己のアドレスを含む制御信号のみを受け付けるものが用いられる。
【００４２】
（実施形態２）
本実施形態の基本構成は実施形態１と共通であるので、共通する部分については同じ符号を付して説明を省略し、異なる部分についてのみ説明する。
【００４３】
本実施形態のタイマー制御装置１が制御の対象とする負荷は、図５に示すように、制御信号とは別途にチューナーＴＵから入力された音声信号に示された音量に出力レベルを乗じた出力としての音量で音声を出力するテレビＴＶであって、出力検出部１７はマイクロホンを有する。
【００４４】
上記のテレビＴＶのように制御信号とは別途に入力された音声信号と出力レベルとで出力たる音量が決定する負荷の場合、放送終了後など音声信号に示された音量が０である期間には、音量に出力レベルが反映されないから、実施形態１のような出力検出部１７の出力を用いた制御で過剰に出力レベルを上げる可能性が生じてしまう。
【００４５】
そこで、本実施形態は、音声信号の出力元であるチューナーＴＵとテレビＴＶとの間に接続され、チューナーＴＵの出力した音声信号に対し、音量を０としない別の音声信号（以下、「重畳信号」と呼ぶ。）を重畳してテレビＴＶに入力する重畳部１８を備える。チューナーＴＵからは、音声信号以外にも映像信号がテレビＴＶに入力されるが、こちらは重畳部１８を介さずに直接テレビＴＶに入力される。
【００４６】
上記構成によれば、チューナーＴＵから出力される音声信号に示された音量が０である期間にも、重畳信号により、テレビＴＶに入力される音声信号に示される音量は０とはならないから、出力検出部１７による制御を正常に行うことができる。
【００４７】
ここで、重畳信号による音声が使用者に不快感を与えることがないように、重畳信号に示される音声の周波数は、人間には聞き取れない音域の周波数であることが最も望ましい。しかし、一般的には、テレビＴＶのようなＡＶ（Audio-Visual）機器やオーディオ機器は、人間が聞き取れないような音域には対応していない。従って、現実的には、重畳信号に示される音声の周波数としては、なるべく人間の耳に聞き取りにくいように、人間の耳に聞こえる音域（可聴域）の端に近い周波数を選択するとよい。例えば、制御対象とするテレビＴＶが２０Ｈｚ〜２０ｋＨｚの音域の音声を発生させることができる場合には、重畳信号に示される音声の周波数は、可聴域の高周波側の端に近い周波数である２０ｋＨｚとする。
【００４８】
さらに、出力検出部１７が、テレビＴＶが出力した音声のうち重畳部１８が重畳した重畳信号による成分（以下、「重畳成分」と呼ぶ。）を周知の技術によって抽出し、重畳成分の音量が大きいほど高い出力を生成するようにしてもよい。この構成を採用すれば、チューナーＴＵから出力される音声信号の音量の変動による誤動作や、環境音による誤動作を抑制することができる。重畳成分が抽出されやすくするためには、重畳部１８は重畳信号が示す音声（すなわち重畳成分）の周波数を一定のパターンで変動させるとともに、出力検出部１７は重畳部１８の動作に同期して重畳成分の抽出を行うようにすることが望ましい。
【００４９】
なお、負荷の例としてテレビＴＶを挙げたが、例えばＣＤプレイヤーから音声信号を入力されるスピーカーなど、制御信号とは別途に音声信号が入力される負荷であれば、本実施形態の構成は適用可能である。
【図面の簡単な説明】
【００５０】
【図１】（ａ）（ｂ）はそれぞれ本発明の実施形態１の動作を示す説明図であり、（ａ）はオフ動作の開始時から次のオン動作の終了時まで他の要因による出力レベルの変動がなかった場合を示し、（ｂ）はオフ動作の終了時から次のオン動作の開始時までの期間に他の要因による出力レベルの上昇があった場合を示す。
【図２】同上を示すブロック図である。
【図３】同上の動作を示す流れ図である。
【図４】同上の比較例の動作を示す説明図である。
【図５】本発明の実施形態２を示すブロック図である。
【図６】タイマー制御装置の動作の一例を示す説明図である。
【図７】従来のタイマー制御装置の課題を示す説明図である。
【符号の説明】
【００５１】
１  タイマー制御装置
１１  計時部
１２  記憶部
１３  制御部
１４  通信部
１６  入力部
１７  出力検出部
１８  重畳部
ＴＶ  テレビ（請求項における負荷）
Ｚ  負荷
【図１】
2009128077.tif 000003
【図２】
2009128077.tif 000004
【図３】
2009128077.tif 000005
【図４】
2009128077.tif 000006
【図５】
2009128077.tif 000007
【図６】
2009128077.tif 000008
【図７】
2009128077.tif 000009